(57)【要約】【課題】  排気口に排出される一部の排気の排気力を利用して、窓枠や室内の隅のように狭小な空間の埃や異物質を容易に除去できる真空清掃機を提供しようとする。【解決手段】  吸入力を発生させる吸入モータ(図示せず)、該吸入モータにより吸入された埃をフィルタリングするフィルタ１０１a及び該フィルタ１０１aによりフィルタリングされた空気を排出する排気口１０１bを有する本体１０１と、該本体１０１の下部に設置されて埃を吸入する吸入ヘッド１０２と、前記排気口１０１bを通して排出される一部の排気の排気力または前記吸入モータの吸入力を選択的に利用できるように、前記本体１０１と吸入ヘッド１０２間に設けられる吸気/排気転換手段２００と、を含んで構成する。【選択図】      図１
2004351195.tif 000002
【特許請求の範囲】
【請求項１】
吸入力を発生させる吸入モータ、該吸入モータにより吸入された埃をフィルタリングするフィルタ及び該フィルタによりフィルタリングされた空気を排出する排気口を有する本体と、
該本体の下部に設置されて埃を吸入する吸入ヘッドと、
前記排気口を通して排出される一部の排気の排気力または前記吸入モータの吸入力を選択的に利用できるように、前記本体と吸入ヘッド間に設けられる吸気/排気転換手段と、
を含むことを特徴とする真空清掃機。
【請求項２】
前記吸気/排気転換手段は、
前記本体の側面に設置される流路転換弁組立体と、
該流路転換弁組立体と前記吸入ヘッドとを連結するヘッド側吸入ホースと、
前記流路転換弁組立体と本体とを連結する本体側吸入ホースと、
前記流路転換弁組立体により、選択的に前記排気口に排出される排気の一部を前記本体の外部に排出させるか、または埃を吸入する吸/排気ホースと、
から構成されることを特徴とする請求項１記載の真空清掃機。
【請求項３】
前記流路転換弁組立体は、
前記本体の側面に突成され、前記排気口を通して排出される排気の一部を排出させるための補助排気口が一側に形成された締結部と、
該締結部に脱着自在に結合され、底面に前記補助排気口と連通される連通ホールが形成され、外周面に前記ヘッド側吸入ホースが連結されるヘッド側連結管、前記本体側吸入ホースが連結される本体側連結管及び前記吸/排気ホースが連結される吸/排気側連結管が相互所定間隔を有して形成された弁ケースと、
該弁ケースの内部に回転自在に設置され、前記ヘッド側連結管と前記本体側連結管とを、または前記本体側連結管と前記吸/排気側連結管とを選択的に連通させる水平流路が一方に形成され、前記補助排気口、前記連通ホール及び前記吸/排気側連結管を選択的に連通させる垂直流路が他方に形成される回転弁と、
とから構成されることを特徴とする請求項２記載の真空清掃機。
【請求項４】
前記締結部に前記弁ケースをボルト締結できるように、前記締結部にはボルト孔が穿孔形成され、前記弁ケースの外周面にはボルト孔を有するフランジが形成されることを特徴とする請求項２記載の真空清掃機。
【請求項５】
前記弁ケースに蓋体が結合されることを特徴とする請求項２記載の真空清掃機。
【請求項６】
前記蓋体は、ボルト締結されることを特徴とする請求項５記載の真空清掃機。
【請求項７】
前記ヘッド側連結管、前記本体側連結管及び前記吸/排気側連結管は、１２０゜をなすように配列されることを特徴とする請求項２記載の真空清掃機。
【請求項８】
前記弁ケースは入口を除外した残りの面が閉鎖された円筒状で、該弁ケースの入口に挿合された前記回転弁は円柱状で、前記蓋体はリング状であることを特徴とする請求項２記載の真空清掃機。
【請求項９】
前記回転弁の上面には、一字型のハンドルが形成され、前記蓋体の内周面には、前記回転弁の回転角度を制限するためのストッパが形成されることを特徴とする請求項８記載の真空清掃機。
【請求項１０】
前記ストッパは、前記蓋体の内周面に対向位置されることを特徴とする請求項９記載の真空清掃機。
【発明の詳細な説明】
【技術分野】
【０００１】
本発明は、真空清掃機に係るもので、詳しくは、本体の内部に設置された吸入モータの吸入力を利用して埃や異質物を除去する真空清掃機に関するものである。
【背景技術】
【０００２】
図９は、従来のアップライト型の真空清掃機を示した斜視図で、図示されたように、従来のアップライト型の真空清掃機においては、本体１が垂直に配置され、該本体１の上部にはハンドル１aが形成され、下部には埃や異質物を吸入する吸入ヘッド２が形成されている。
前記吸入ヘッド２と前記本体１間には吸入ホース３が連結され、前記本体１の内部には吸入モータ(図示せず)が設置されている。
【０００３】
前記吸入モータにより発生した吸入力により前記吸入ヘッド２に吸入された埃や異質物は、前記吸入ホース３を通して前記本体１の内部に吸入された後、該本体１の内部に設置されたフィルタ４によりフィルタリング(濾過)される。
前記本体１の内部に吸入されてフィルタリングされた空気が排出されるように、該本体１の側面には排気口５が形成されている。
【０００４】
このように構成された従来のアップライト型の真空清掃機においては、前記吸入モータにより発生した吸入力により、埃や異質物が前記吸入ヘッド２を通して吸入され、このように吸入された埃や異質物は、前記本体１内部のフィルタ４によりフィルタリングされ、そのフィルタリングされた空気は、前記排気口５を通して前記本体１の外部に排出される。
然るに、このような従来のアップライト型の真空清掃機においては、吸入力のみを利用して清掃を行うため、窓枠や室内の隅のような狭小な空間の埃や異物質を容易に除去できないという不都合な点があった。
【発明の開示】
【発明が解決しようとする課題】
【０００５】
本発明は、このような従来の課題に鑑みてなされたもので、排気口に排出される一部の排気の排気力を利用して、窓枠や室内の隅のように狭小な空間の埃や異物質を容易に除去できる真空清掃機を提供することを目的とする。 
【課題を解決するための手段】
【０００６】
このような目的を達成するため、本発明に係る真空清掃機においては、吸入力を発生させる吸入モータ、該吸入モータにより吸入された埃をフィルタリングするフィルタ及び該フィルタによりフィルタリングされた空気を排出する排気口を有する本体と、該本体の下部に設置されて埃を吸入する吸入ヘッドと、前記排気口を通して排出される一部の排気の排気力または前記吸入モータの吸入力を選択的に利用できるように、前記本体と吸入ヘッド間に設けられる吸気/排気転換手段と、を含むことを特徴とする。
【０００７】
また、前記吸気/排気転換手段は、前記本体の側面に設置される流路転換弁組立体と、該流路転換弁組立体と前記吸入ヘッドとを連結するヘッド側吸入ホースと、前記流路転換弁組立体と本体とを連結する本体側吸入ホースと、前記流路転換弁組立体により、前記排気口に排出される排気の一部を前記本体の外部に排出させるか、または埃を吸入する吸/排気ホースと、から構成されている。
【０００８】
また、前記流路転換弁組立体は、前記本体の側面に突成され、前記排気口を通して排出される排気の一部を排出させるための補助排気口が一側に形成された締結部と、該締結部に脱着自在に結合され、底面に前記補助排気口と連通される連通ホールが形成され、外周面に前記ヘッド側吸入ホースが連結されるヘッド側連結管、前記本体側吸入ホースが連結される本体側連結管及び前記吸/排気ホースが連結される吸/排気側連結管が相互所定間隔を有して形成された弁ケースと、該弁ケースの内部に回転自在に設置され、前記ヘッド側連結管と前記本体側連結管とを、または前記本体側連結管と前記吸/排気側連結管とを選択的に連通させる水平流路が一方に形成され、前記補助排気口、前記連通ホール及び前記吸/排気側連結管を選択的に連通させる垂直流路が他方に形成される回転弁と、前記弁ケースに結合される蓋体と、から構成されている。
【０００９】
また、前記締結部に前記弁ケースをボルト締結できるように、前記締結部にはボルト孔が穿孔形成され、前記弁ケースの外周面にはボルト孔を有するフランジが形成される。
【発明の効果】
【００１０】
以下に説明するように、本発明に係る真空掃除機においては、流路転換弁組立体を操作して、吸入モータにより発生する吸入力、または補助排気口に排出される一部の排気の排気力を選択的に利用できるように構成されることで、窓枠や室内の隅のように狭小な空間の埃や異物質も容易に除去できるという効果がある。
【発明を実施するための最良の形態】
【００１１】
以下、本発明の実施の形態について、図面に基づいて説明する。
図１は、本発明に係る真空清掃機を示した斜視図、図２は、本発明の流路転換弁組立体を示した分解斜視図、図３は、本発明の弁ケースを示した平面図、図４は、本発明の回転弁を示した平面図、図５は、図４のA-A線断面図、図６は、本発明の蓋体を示した平面図、図７は、本発明の本体側吸入ホースとヘッド側吸入ホースとが連結されて、排気口の排気の一部が吸/排気ホースに排出される状態を示した平面図、図８は、本発明の本体側吸入ホースと吸/排気ホースとが連結されて、吸/排気ホースを通して埃が吸入される状態を示した平面図である。
【００１２】
図示されたように、本発明に係る真空清掃機においては、吸入力を発生させる吸入モータ(図示せず)、該吸入モータにより吸入された埃をフィルタリングするフィルタ１０１a及び該フィルタ１０１aによりフィルタリングされた空気を排出する排気口１０１bを有する本体１０１と、該本体１０１の下部に設置されて埃を吸入する吸入ヘッド１０２と、前記排気口１０１bを通して排出される一部の排気の排気力または前記吸入モータの吸入力を選択的に利用できるように、前記本体１０１と吸入ヘッド１０２間に設けられる吸気/排気転換手段２００と、を含んで構成されている。
【００１３】
前記吸気/排気転換手段２００は、前記本体１０１の側面に設置される流路転換弁組立体２１０と、該流路転換弁組立体２１０と前記吸入ヘッド１０２とを連結するヘッド側吸入ホース２２０と、前記流路転換弁組立体２１０と本体１０１とを連結する本体側吸入ホース２３０と、前記流路転換弁組立体２１０により、選択的に前記排気口１０１bに排出される排気の一部を前記本体１０１の外部に排気させるか、または埃を吸入する吸/排気ホース２４０と、から構成されている。
【００１４】
前記流路転換弁組立体２１０は、前記本体１０１の側面に突成され、前記排気口１０１bを通して排出される排気の一部を排出させるための補助排気口２１１aが一側に形成された締結部２１１と、該締結部２１１に脱着自在に結合され、底面に前記補助排気口２１１aと連通される連通ホール２１２aが形成され、外周面に前記ヘッド側吸入ホース２２０が連結されるヘッド側連結管２１２b、前記本体側吸入ホース２３０が連結される本体側連結管２１２c及び前記吸/排気ホース２４０が連結される吸/排気側連結管２１２dが相互所定間隔を有して順次形成された弁ケース２１２と、該弁ケース２１２の内部に回転自在に設置され、前記ヘッド側連結管２１２bと前記本体側連結管２１２cとを、または前記本体側連結管２１２cと前記吸/排気側連結管２１２dとを選択的に連通させる水平流路２１３aが一方に形成され、前記補助排気口２１１a、前記連通ホール２１２a及び前記吸/排気側連結管２１２dを選択的に連通させる垂直流路２１３bが他方に形成される回転弁２１３と、前記弁ケース２１２に結合される蓋体２１４と、から構成されている。
【００１５】
前記締結部２１１は、前記本体１０１の側面に一体に形成されることが好ましく、前記締結部２１１に形成された補助排気口２１１aは、前記排気口１０１bに排出される直前の排気の一部を前記吸/排気ホース２４０に排出する役割をする。
前記弁ケース２１２は、上面(入口)を除外した残りの面が閉鎖された円筒状に形成され、その底面に形成された連通ホール２１２aは、前記補助排気口２１１aと前記吸/排気側連結管２１２dとを相互連通させる役割をする。
【００１６】
前記弁ケース２１２の外周面に設置された前記ヘッド側連結管２１２b、前記本体側連結管２１２c及び前記吸/排気側連結管２１２dは、前記弁ケース２１２の中心から相互略１２０゜をなす位置に配列されている。
前記締結部２１１に前記弁ケース２１２をボルトB締結できるように、前記締結部２１１にはボルト孔Hが穿孔形成され、前記弁ケース２１２の外周面にはボルト孔Hを有するフランジ２１２eが形成されている。
【００１７】
前記ヘッド側吸入ホース２２０の一端は前記吸入ヘッド１０２に連結され、他端は前記ヘッド側連結管２１２bに連結されている。前記本体側吸入ホース２３０の一端は前記本体１０１に連結され、他端は前記弁ケース２１２の本体側連結管２１２cに連結されている。前記吸/排気ホース２４０の一端は前記弁ケース２１２の吸/排気側連結管２１２dに連結され、他端にはノズル２４１が形成されている。
【００１８】
前記回転弁２１３は、円柱状で、前記弁ケース２１２の内部に回転自在に設置され、前記回転弁２１３の水平流路２１３aの両端は、前記ヘッド側連結管２１２b、前記本体側連結管２１２c及び前記吸/排気側連結管２１２dと同様に、前記回転弁２１３の中心から略１２０゜になる位置に配列されている。
前記回転弁２１３の垂直通路２１３bは、前記回転弁２１３の底面及び側面が切開されて形成される。
【００１９】
前記回転弁２１３の上面には、一字型のハンドル２１３cが形成され、該ハンドル２１３cと対応するリング状からなる前記蓋体２１４の内周面には、相互対向するようにストッパ２１４aが形成されている。
前記ストッパ２１４aは、前記ハンドル２１３cの回転角度が略１２０゜に制限されるように対向位置されている。
【００２０】
よって、使用者が前記ハンドル２１３cを時計方向または反時計方向に回すと、前記ハンドル２１３cの端部が前記ストッパ２１４aの端部に係止され、このとき、前記回転弁２１３の回転角度が略１２０゜に制限されることで、前記水平流路２１３aが前記ヘッド側連結管２１２bと前記本体側連結管２１２cとを、または前記本体側連結管２１２cと前記吸/排気側連結管２１２dとを選択的に連結するように構成されている。
且つ、前記弁ケース２１２及び前記蓋体２１４には、前記蓋体２１４を前記弁ケース２１２に結合するためのボルト孔Hが穿孔形成されている。
【００２１】
このように構成された本発明に係る真空清掃機において、前記吸入ヘッド１０２を利用して清掃を行うときは、図７に示したように、前記回転弁２１３のハンドル２１３cを反時計方向に回すと、該ハンドル２１３cの両端部が前記ストッパ２１４aにより係止されることで、前記ハンドル２１３cの回転が制限される。このとき、前記水平流路２１３aの両端が前記ヘッド側連結管２１２b及び前記本体側連結管２１２cにそれぞれ連結される。
これと同時に、前記補助排気口２１１a(図２参照)、連通ホール２１２a及び垂直流路２１３bが連結される。
【００２２】
この状態で、図１に示したように、吸入モータ(図示せず)を駆動すると、該吸入モータの吸入力により埃や異物質が前記吸入ヘッド１０２の内部に吸入され、このように吸入された埃や異物質は、前記ヘッド側吸入ホース２２０、水平流路２１３a及び本体側吸入ホース２３０を経由して前記本体１０１の内部に吸入される。
次いで、前記本体１０１の内部に吸入された埃や異物質は、前記フィルタ１０１aによりフィルタリングされ、そのフィルタリングされた空気は、前記排気口１０１bを通して前記本体１０１の外部に排出される。
【００２３】
このとき、前記排気口１０１bを通して排出される空気の一部が前記補助排気口２１１aに排出されるが、該補助排気口２１１aに排出される空気は、前記連通ホール２１２a及び垂直流路２１３bを経由して、前記吸/排気ホース２４０のノズル２４１から排出される。
前記ノズル２４１から排出される排気の排気圧を利用して、窓枠や室内の隈のような空間の埃や異物質を吹く飛ばした後、前記吸入ヘッド１０２を通して再び前述した動作と同様に埃や異物質を吸入して除去する。
【００２４】
一方、本発明に係る真空清掃機においては、清掃すべき場所が高いか、または障害物などにより前記吸入ヘッド１０２を使用できない場合は、前記吸/排気ホース２４０を利用して清掃を行うことができるが、以下、その方法について、図８に基づいて説明する。
図８に示したように、前記回転弁２１３のハンドル２１３cを時計方向に回すと、該ハンドル２１３cの両端部が前記ストッパ２１４aにより係止されることで、前記ハンドル２１３cの回転が制限される。このとき、前記水平流路２１３aの両端が前記ヘッド側連結管２１２b及び吸/排気側連結管２１２dにそれぞれ連結される。これと同時に、前記補助排気口２１１a及び連通ホール２１２aが前記回転弁２１３により遮断される。
【００２５】
この状態で前記吸入モータ(図示せず)を駆動すると、該吸入モータの吸入力により埃や異物質が前記吸/排気ホース２４０を通して吸入され、このように吸入された埃や異物質は、前記水平流路２１３a及び本体側吸入ホース２３０を経由して、前記本体１０１の内部に吸入される。
【００２６】
前記本体１０１の内部に吸入された埃や異物質は、前記フィルタ１０１aによりフィルタリングされ、そのフィルタリングされた空気は、前記排気口１０１bを通して前記本体１０１の外部に排出される。前述したように、清掃すべき場所が高いか、または障害物などにより前記吸入ヘッド１０２を移動させにくい場合も、前記吸/排気ホース２４０を使用することで、清掃を效果的に行うことができる。
【図面の簡単な説明】
【００２７】
【図１】本発明に係る真空清掃機を示した斜視図である。
【図２】本発明の流路転換弁組立体を示した分解斜視図である。
【図３】本発明の弁ケースを示した平面図である。
【図４】本発明の回転弁を示した平面図である。
【図５】図４のA-A線断面図である。
【図６】本発明の蓋体を示した平面図である。
【図７】本発明の本体側吸入ホースとヘッド側吸入ホースとが連結されて、排気口の排気の一部が吸/排気ホースに排出される状態を示した平面図である。
【図８】本発明の本体側吸入ホースと吸/排気ホースとが連結されて、吸/排気ホースを通して埃が吸入される状態を示した平面図である。
【図９】従来のアップライト型の真空清掃機を示した斜視図である。
【符号の説明】
【００２８】
１０１…本体
１０１a…フィルタ
１０１b…排気口
１０２…吸入ヘッド
２００…吸気/排気転換手段
２１０…流路転換弁組立体
２１１…締結部
２１１a…補助排気口
２１２…弁ケース
２１２a…連通ホール
２１２b…ヘッド側連結管
２１２c…本体側連結管
２１２d…吸/排気側連結管
２１３a…水平流路
２１３b…垂直流路
２１３c…ハンドル
２１３…回転弁
２１２e…フランジ
２１４…蓋体
２１４a…ストッパ
２２０…ヘッド側吸入ホース
２３０…本体側吸入ホース
２４０…吸/排気ホース
B…ボルト
H…ボルト孔
【図１】
2004351195.tif 000003
【図２】
2004351195.tif 000004
【図３】
2004351195.tif 000005
【図４】
2004351195.tif 000006
【図５】
2004351195.tif 000007
【図６】
2004351195.tif 000008
【図７】
2004351195.tif 000009
【図８】
2004351195.tif 000010
【図９】
2004351195.tif 000011